(57)【要約】【課題】複写機、ファクシミリ等に使用される、原稿読取ユニット、原稿読取装置、及び画像形成装置を提供する。【解決手段】原稿情報を撮像素子上に縮小結像させる結像レンズと、結像レンズと撮像素子を一体に保持するレンズ保持部材を有する原稿読取装置において、撮像素子は、ライン状受光素子を配列してなり、保持部材は曲げ部を有し、撮像素子が前記曲げ部の延長上に固定され、温度条件による曲げ部の角度が変化しても、撮像素子の傾き量の変化を最小限に抑えることができる。また、また、装置全体を小型にできると共に、組立工程も簡便にでき、かつセンサや特殊な機構の駆動も必要ないため、省資源化や省エネルギーかも達成できる。また、複数の受光素子を配列することにより、モノクロ読取時の高速化や高精度化、またフルカラー読取に対応できる。【選択図】図２
2008141677.tif 000002
【特許請求の範囲】
【請求項１】
原稿情報を撮像素子上に縮小結像させる結像レンズと、前記結像レンズと前記撮像素子とを一体に保持する保持部材を有する原稿読取ユニットにおいて、
前記撮像素子が前記保持部材の曲げ部の延長線上に固定されていることを特徴とする原稿読取ユニット。
【請求項２】
前記撮像素子は、ライン状に配列された受光素子を有することを特徴とする請求項１記載の原稿読取ユニット。
【請求項３】
前記撮像素子は、副走査方向に前記受光素子が配列されていることを特徴とする請求項２記載の原稿読取ユニット。
【請求項４】
前記撮像素子が有する任意の受光素子の配列位置と略同一に前記曲げ部を配置することを特徴とする請求項１から３のいずれか１項記載の原稿読取ユニット。
【請求項５】
前記保持部材の開口部に前記結像レンズが配置され、該結像レンズの一部が前記開口部から突出していることを特徴とする請求項１から４のいずれか１項記載の原稿読取ユニット。
【請求項６】
前記結像レンズの入射瞳以外の領域が前記開口部から突出していることを特徴とする請求項５記載の原稿読取ユニット。
【請求項７】
前記結像レンズの入射瞳が非円形であることを特徴とする請求項１から６のいずれか１項記載の原稿読取ユニット。
【請求項８】
前記結像レンズが非円筒形状であることを特徴とする請求項１から７のいずれか１項記載の原稿読取ユニット。
【請求項９】
請求項１から８のいずれか１項記載の原稿読取ユニットを有することを特徴とする原稿読取装置。
【請求項１０】
光学系の任意の光路中に色分解手段を有することを特徴とする請求項９記載の原稿読取装置。
【請求項１１】
請求項９又は１０記載の原稿読取装置を有することを特徴とする画像形成装置。
【発明の詳細な説明】
【技術分野】
【０００１】
本発明は、原稿読取ユニット、原稿読取装置、及び画像形成装置に関し、特に、複写機、ファクシミリ等に使用される原稿読取ユニット、原稿読取装置、及び画像形成装置に関する。
【背景技術】
【０００２】
ファクシミリやデジタル複写機の原稿読取部やイメ−ジスキャナは、読み取るべき画像情報を原稿読取レンズで縮小して撮像素子（例えばＣＣＤのような光電変換を行うラインセンサ）上に結像させて画像情報を信号化する。また、原稿情報をカラーで読み取るため、例えば赤、緑、青のフィルタを持ったラインセンサが１チップに３列に配列されている所謂３ラインＣＣＤを用い、この受光面に原稿像を結像させることにより３原色に色分解し、カラー画像情報を信号化する画像読取装置がある。
【０００３】
このような画像読取装置に用いられる読み取りレンズとＣＣＤを一体的に保持した画像読み取りレンズユニットにおいては、読み取りレンズとラインセンサの距離を精度良く設定する必要がある。例えば、画素ピッチが４．７μmのラインセンサを用いて、６００dpi程度の高い読み取り密度で原稿情報を読み取る場合、読み取りレンズとラインセンサの間隔は０．０１mm以下の精度に調整・固定する必要がある。更に前記のように初期の組付時に精度良く読み取りレンズとラインセンサの間隔を調整する必要があるものにおいては、例えば、温度変化などの環境変化による読み取りレンズとラインセンサの間隔変動を小さく抑える必要がある。
【０００４】
特許文献１には、温度変化による読み取りレンズとラインセンサの間隔変動を抑える技術が開示されている。特許文献１は、レンズとラインセンサを保持しているいわゆる受台が、温度変化によって膨張／収縮して発生する読み取りレンズとラインセンサの距離の変化を補正するものであって、読取レンズの鏡筒の材質と受台の材質の線膨張係数を組合せて、受台の変動を読取レンズの変動でキャンセルするものである。また、読み取りレンズの焦点距離を変化させて受台の変化をキャンセルさせる技術もある。
【０００５】
さらに、温度変化によるＣＣＤのそりを防止する技術として、特許文献２〜４記載の発明が開示されている。これらの発明は、温度変化によるＣＣＤの長手方向のそりを防止するものであって、ＣＣＤに補助部材や支持部材を付加するものである。
【０００６】
さらに、特許文献５では、読取レンズを受台に固定する部材がネジで固定されている場合であって、ねじれの開放による読取レンズの姿勢を弾性部材付加して補正する技術が開示されている。
【特許文献１】特開平９−４９９５７号公報
【特許文献２】特開２００３−１１５９７８号公報
【特許文献３】特開２００３−１２５１６６号公報
【特許文献４】特開平８−８４２１７号公報
【特許文献５】特開２００５−１８１４３３号公報
【発明の開示】
【発明が解決しようとする課題】
【０００７】
しかし、上記の発明は以下の問題を有している。
【０００８】
しかし、従来の撮像素子の固定は、例えば図１０に示すように、受台の底部に曲げ部を設け、その曲げ部の先端近傍にラインセンサを固定保持されていた。このような受台の場合、上述したように、読み取りレンズとラインセンサの距離の変動は小さく抑えることが可能であるが、曲げ部の残留応力などにより、温度が変化した場合、曲げ部の角度が変化し、読み取りレンズとラインセンサの距離が変化し、さらにラインセンサが傾いてしまう問題が発生する。また、曲げ部の角度変化は、残留応力の残り方により、曲げ部が読み取りレンズに近づく方向に角度が変化したり、逆に読み取りレンズから遠ざかる方向に変化するため、画像読取品質が大きく低下したり、補正するために特殊なセンサや機構が必要となり、コストアップや装置の大型化を招く原因となる。
【０００９】
そこで、本発明は、上記従来例を鑑み、曲げを有している板金製の受台を用いた場合でも、特別なセンサや機構を有することなく温度変動により発生する曲げの角度変化の影響を小さく抑えることが可能であるため、省資源化や省エネに対応する地球環境を考慮し、良好な読み取り性能を有する原稿読取ユニット、原稿読取装置、及び画像形成装置を提案することを目的としている。
【課題を解決するための手段】
【００１０】
請求項１記載の発明は、原稿情報を撮像素子上に縮小結像させる結像レンズと、前記結像レンズと前記撮像素子とを一体に保持する保持部材を有する原稿読取ユニットにおいて、前記撮像素子が前記保持部材の曲げ部の延長線上に固定されていることを特徴とする。
【００１１】
請求項２記載の発明は、請求項１記載の原稿読取ユニットにおいて、前記撮像素子は、ライン状に配列された受光素子を有することを特徴とする。
【００１２】
請求項３記載の発明は、請求項２記載の原稿読取ユニットにおいて、前記撮像素子は、副走査方向に前記受光素子が配列されていることを特徴とする。
【００１３】
請求項４記載の発明は、請求項１から３のいずれか１項記載の原稿読取ユニットにおいて、前記撮像素子が有する任意の受光素子の配列位置と略同一に前記曲げ部を配置することを特徴とする。
【００１４】
請求項５記載の発明は、請求項１から４のいずれか１項記載の原稿読取ユニットにおいて、前記保持部材の開口部に前記結像レンズが配置され、該結像レンズの一部が前記開口部から突出していることを特徴とする。
【００１５】
請求項６記載の発明は、請求項５記載の原稿読取ユニットにおいて、前記結像レンズの入射瞳以外の領域が前記開口部から突出していることを特徴とする。
【００１６】
請求項７記載の発明は、請求項１から６のいずれか１項記載の原稿読取ユニットにおいて、前記結像レンズの入射瞳が非円形であることを特徴とする。
【００１７】
請求項８記載の発明は、請求項１から７のいずれか１項記載の原稿読取ユニットにおいて、前記結像レンズが非円筒形状であることを特徴とする。
【００１８】
請求項９記載の原稿読取装置は、請求項１から８のいずれか１項記載の原稿読取ユニットを有することを特徴とする。
【００１９】
請求項１０記載の発明は、請求項９記載の原稿読取装置において、光学系の任意の光路中に色分解手段を有することを特徴とする。
【００２０】
請求項１１記載の画像形成装置は、請求項９又は１０記載の原稿読取装置を有することを特徴とする。
【発明の効果】
【００２１】
本発明は、撮像素子と結像レンズを有する原稿読取装置において、撮像素子と結像レンズを一体に保持する保持部材の変形による撮像素子の傾きを、特別なセンサや機構を用いずに小さく抑えることができるため、温度条件が変化しても常に良好な性能を維持することができる。また、装置全体を小型にできると共に、組立工程も簡便にでき、かつセンサや特殊な機構の駆動も必要ないため、省資源化や省エネルギーかも達成できる。
【発明を実施するための最良の形態】
【００２２】
以下、本発明の一実施形態に係る原稿読取装置の構成及び動作について説明する。
【００２３】
まず、図１を用いて本実施形態に係る原稿読取装置の構成について説明する。
【００２４】
本実施形態に係る原稿読取装置は、コンタクトガラス１０１、第１の走行体１０３、第１のミラー１０３ａ、第２の走行体１０４、第１のミラー１０４ａ、第２のミラー１０４ｂ、縮小結像レンズ１０５、及び撮像素子１０６を有して構成される。
【００２５】
原稿１０２は、コンタクトガラス１０１上に配置され、コンタクトガラス１０１の下部に配置された照明光学系（図示せず）により、原稿１０２が照明される。原稿１０２の照明光は、第１の走行体１０３の第１ミラー１０３ａにより反射され、その後、第２の走行体１０４の第１のミラー１０４ａと第２のミラー１０４ｂで反射され、縮小結像レンズ１０５へ導かれ、縮小結像レンズ１０５により撮像素子１０６上に結像される。
【００２６】
原稿１０２の長手方向を読み取る場合は、第１の走行体１０３が速度Ｖで位置１０３’まで移動し、それと同時に第２の走行体１０４が、第１の走行体１０３の半分の速度１／２Ｖで、位置１０４’迄移動し、原稿全体を読み取る。
【００２７】
なお、図２に示すように、光学系の任意の光路中に色分解プリズム等を配置し、原稿をフルカラーで読み取ることも可能である。
【００２８】
具体的には、例えば、読取レンズと撮像素子との間に色分解プリズムやフィルタを選択的に挿入しＲ,Ｇ,Ｂに色分解する方法や、例えばＲ,Ｇ,Ｂ光源を順次転倒させ原稿を照明する方法、又は撮像素子として、Ｒ,Ｇ,Ｂのフィルタを持った受光素子が１チップに３列に配列されている所謂３ラインＣＣＤを用い、この受光面にカラー画像を結像させることにより３原色に色分解する方法などがある。
【００２９】
次に、上記の原稿読取装置を有するレーザープリンタの構成及び動作について図３を用いて説明する。
【００３０】
レーザープリンタ３００は潜像担持体３０１として「円筒状に形成された光導電性の感光体」を有している。潜像担持体３０１の周囲には、帯電手段としての帯電ローラ３０２、現像装置３０３、転写ローラ３０４、クリーニング装置３０５が配備されている。帯電手段としては「コロナチャージャ」を用いることもできる。更に、レーザビームＬＢにより光走査を行う光走査装置３０７が設けられ、帯電ローラ３０２と現像装置３０３との間で「光書込による露光」を行うようになっている。
【００３１】
符号３０６は定着装置、符号３０８はカセット、符号３０９はレジストローラ対、符号３１０は給紙コロ、符号３１１は搬送路、符号３１２は排紙ローラ対、符号３１３はトレイを示している。
【００３２】
画像形成を行うときは、光導電性の感光体である像担持体３０１が時計回りに等速回転され、その表面が帯電ローラ３０２により均一帯電され、光走査装置３０７のレーザビームＬＢの光書込による露光を受けて静電潜像が形成される。形成された静電潜像は所謂「ネガ潜像」であって画像部が露光されている。
【００３３】
この静電潜像は現像装置３０３により反転現像され、像担持体３０１上にトナー画像が形成される。
【００３４】
転写紙を収納したカセット３０８は、画像形成装置３００本体に脱着可能であり、図のごとく装着された状態において、収納された転写紙の最上位の１枚が給紙コロ３１０により給紙され、給紙された転写紙は、その先端部をレジストローラ対３０９に捕らえられる。レジストローラ対３０９は、像担持体３０１上のトナー画像が転写位置へ移動するのにタイミングを合わせて、転写紙を転写部へ送り込む。送り込まれた転写紙は、転写部においてトナー画像と重ね合わせられ転写ローラ３０４の作用によりトナー画像を静電転写される。トナー画像を転写された転写紙は定着装置３０６へ送られ、定着装置３０６においてトナー画像を定着され、搬送路３１１を通り、排紙ローラ対３１２によりトレイ３１３上に排出される。
【００３５】
トナー画像が転写された後の像担持体３０１の表面は、クリーニング装置３０５によりクリーニングされ、残留トナーや紙粉等が除去される。
【００３６】
次に、上述のカラー原稿読取装置を有する画像形成装置の構成及び動作について図４を用いて説明する。
【００３７】
図４に示す画像形成装置４００は、イエロ（Ｙ）、マゼンタ（Ｍ）、シアン（Ｃ）、ブラック（Ｋ）の各色毎のトナー像をそれぞれ形成し、これを重ね合わせることでフルカラーの画像を形成するタンデム型の画像形成装置であり、原稿台４０１と、読取装置４０２と、光走査装置４０３と、感光体ドラム４０４（ＹＭＣＫ）と、帯電ローラ４０５（ＹＭＣＫ）と、現像装置４０６（ＹＭＣＫ）と、ドラムクリーニング装置４０７（ＹＭＣＫ）と、中間転写ベルト４０８と、転写ベルトクリーニング装置４０９と、転写ローラ４１０と、定着装置４１１と、レジストローラ４１２と、給紙ローラ４１３と、給紙トレイ４１４と、排紙ローラ４１５と、排紙トレイ４１６と、を有して構成される。
【００３８】
原稿台４０１は、印刷を予定する原稿、すなわち読み取りの対象となる原稿を載せるための台である。原稿台４０１の下面はコンタクトガラスから形成される。
【００３９】
読取装置４０２は、図１に示す原稿読取装置と同様の構成を有し、原稿台４０１に載せられた原稿を読み取る装置であり、原稿に対しコンタクトレンズ越しにレーザ光を照射し、該原稿からの反射光を受光することで原稿内容を読み取る。
【００４０】
光走査装置４０３は、読取装置４０２で読み取った原稿内容に基づいて、書き込み用のレーザ光を各色に対応する感光体ドラム４０４に照射する。
【００４１】
感光体ドラム４０４（ＹＭＣＫ）は、ＹＭＣＫ各色毎に設けられたドラム形状の像担持体である。各感光体ドラム４０４は、同一径であり、中間転写ベルト４０８に等間隔で圧接されている。
【００４２】
なお、この感光体ドラム４０４の周囲近傍には、ドラム回転方向に沿って、帯電装置４０５、現像装置４０６、中間転写ベルト４０８、ドラムクリーニング装置４０７、除電装置（不図示）が配設されている。また、光走査装置４０３からの書き込み用のレーザ光は、帯電装置４０５と現像装置４０６の間において感光体ドラム４０４上に照射される。
【００４３】
帯電装置４０５（ＹＭＣＫ）は、各色感光体ドラム４０４毎に非接触に配設されたローラ形状の装置であり、感光体ドラム４０４の表面を一様に帯電させる。帯電装置４０５により帯電された感光体ドラム４０４表面に光走査装置４０３からの書き込み用のレーザ光が照射されると、感光体ドラム４０４上に各色に対応した静電潜像が形成される。
【００４４】
現像装置４０６（ＹＭＣＫ）は、各感光体ドラム４０４に現像ローラを接触させて配設された装置であり、各色対応の感光体ドラム４０４に対応した色のトナー（現像剤）を保持する。作像時には、感光体ドラム４０４にトナーを供給し、感光体ドラム４０４に形成された静電潜像を現像する。静電潜像は、トナーで現像されることによりトナー像となる。
【００４５】
ドラムクリーニング装置４０７（ＹＭＣＫ）は、各感光体ドラム４０４にブレード（クリーニングブレード）を接触させて配設された装置であり、中間転写ベルト４０８へのトナー像の転写後に感光体ドラム４０４上に残留している残留トナー等を除去・回収し、感光体ドラム４０４の表面をクリーニングする。
【００４６】
また、ドラムクリーニング装置４０７と帯電装置４０５の間には不図示の除電装置が設けられている。除電装置は、感光体ドラム４０４の表面を除電する。
【００４７】
中間転写ベルト４０８は、各感光体ドラム４０４の表面に形成された各色トナー像を順次重ね合わせて転写（一次転写）するための無端ベルトである。各色トナー像が順次重ね合わせられることで中間転写ベルト４０４上には合成カラートナー像が形成される。
【００４８】
転写ベルトクリーニング装置４０９は、中間転写ベルト４０８にブレード（クリーニングブレード）を接触させて配設された装置であり、給紙される記録紙への合成カラートナー像の転写（二次転写）後に中間転写ベルト４０８上に残留している残留トナーや紙片などを除去・回収し、中間転写ベルト４０８の表面をクリーニングする。
【００４９】
転写ローラ４１０は、中間転写ベルト４０８に対向して設けられたローラであり、中間転写ベルト４０８上に形成された合成カラートナー像を、給紙トレイ４１４から搬送される記録紙上に転写（二次転写）する。
【００５０】
定着装置４１１は、加熱されたローラからなり、記録紙上に二次転写された合成カラートナー像を記録紙に熱定着させる。
【００５１】
レジストローラ４１２は、記録紙と合成カラートナー像の先端位置合わせを行うローラであり、中間転写ベルト４０９上の合成カラートナー像のタイミングに合わせて記録紙を給紙する。
【００５２】
給紙ローラ４１３は、記録紙を給紙する。給紙トレイ２４は、記録紙を記録紙サイズ毎に格納する。排紙ローラ４１５は、合成カラートナー像の熱定着された記録紙を画像形成装置４００の機外の排紙トレイに排紙する。排紙トレイ４１６は、排紙された記録紙を載せるためのトレイである。なお、給紙トレイ４１４から始まる矢印は、記録紙の搬送路を示す。
【００５３】
なお、感光体ドラム４０４は、すべて同一の方向に回転し、中間転写ベルト４０８は、感光体ドラム４０４の回転方向とは逆の方向で移動する。また、転写ローラ４１１は中間転写ベルト４０８とは逆の方向（感光体ドラム４０４と同一の回転方向）で回転する。感光体ドラム４０４および転写ローラ４１１は反時計回りに回転し、中間転写ベルト４０８は時計回りに回転する。
【００５４】
次に、本実施形態に係る原稿読取装置において、温度条件による撮像素子の傾きをより小さく抑える機構について、図５を用いて詳細に説明する。
【００５５】
図５に示すように、例えば、撮像素子の配列が３本（Ｔ１、Ｔ２、Ｔ３）あるとする。この場合、保持部材の曲げ部をＴ２に一致させることにより、曲げ部と一致している配列Ｔ２は曲げ部の角度が変化してもピント位置の変動は発生しない。また、曲げ部と一致していない配列（Ｔ１、Ｔ３）も曲げ部の角度の変化によるピント移動量を小さくすることができる。
【００５６】
例えば、画素ピッチ４．７μmで、副走査方向にライン間隔が４ラインの３ラインＣＣＤを用いて、従来例として曲げ部から１０mmの位置にＣＣＤを固定した場合と、本実施形態に係る原稿読取装置のように３ラインの真中の撮像素子に対応する位置に曲げ部を固定した場合の、温度条件による曲げ部の角度変化とピント移動量の関係を表１及び表２に示す。
【００５７】
【表１】
2008141677.tif 000003
【００５８】
【表２】
2008141677.tif 000004
【００５９】
上記の結果のように、３ラインの真中の撮像素子に対応する位置に曲げ部を固定することにより、ピント移動量を非常に小さくすることができるため、温度変化による撮像素子の性能劣化を低減することができる。
【００６０】
ここで、本実施形態に係る原稿読取装置において、結像レンズを保持部材に設けられた開口部に配置し、かつ該結像レンズの一部を保持部材の開口部から突出して配置させる構成について、図６を用いて説明する。
【００６１】
保持部材６０２に設けられた開口部６０に結像レンズ６０１を配置し、かつ結像レンズ６０１の一部を図中下方向に突出させる。結像レンズ６０１と保持部材６０２は、結像レンズ６０１の外周部に掛けられた固定部材６０４にネジなどの締結部材６０５により固定されている。
【００６２】
撮像素子６０６は、基板６０８上に設けられている。そして、基板６０８と連結部材６０７は、ネジなどの締結部材６０９により固定されている。
【００６３】
このとき、撮像素子６０６の任意の配列（図示せず）をレンズの光軸６１０と一致させるため、中間部材６１１及びネジなどの締結部材６１２を用いて、保持部材６０２と連結部材６０７とを固定している。
【００６４】
なお、本実施形態においては、各部材同士を固定する手段としてネジを用いているが、固定手段として溶接、接着などの手段を用いてもよい。
【００６５】
また、図７及び図８に示すように、図６と同様の構成において、保持部材６０２の開口部からの結像レンズ６０１の突出量を、結像レンズ６０１の射出瞳６１３が保持部材６０２に重ならないように増加させることにより、原稿読取装置の小型化を図ることができる。
【００６６】
具体的には、図６に示す例において、結像レンズ６０１の光軸と撮像素子６０６の任意の配列を一致させるため、中間部材６１１を用いているが、中間部材６１１の厚みが増すと、温度変化による曲げ部の角度変化が生じた際に精度が落ちる。また、原稿読取装置の小型化を図ることができない。そこで、図７及び図８に示す構成においては、保持部材６０２からの結像レンズ６０１の突出部分を増やし、レンズ光軸を図中下方に下げることにより、結像レンズ６０１と撮像素子６０６の位置関係の高精度化を図ると同時に、原稿読取装置の小型化を図っている。
【００６７】
なお、本実施形態においては、レンズ光軸を図中下方に下げる方法として、中間部材６１１の厚さを薄くする方法を用いてるが、光軸が保持部材６０２の表面近傍まで下がれば、中間部材６１１の代わりに半押し加工により調整したり、又は全く必要なくすことも可能である。
【００６８】
上述のラインセンサを用いた撮像素子６０６において、撮像素子６０６の短手方向へ入射される光線は、入射瞳の幅の光束となる。したがって、結像レンズ６０１の入射瞳６１３をけらない状態までなら、結像レンズ６０１の光軸を図中下方に下げることができる。
【００６９】
さらに、結像レンズ６０１の入射瞳６１３の形状を図９に示すような非円形とすることにより、結像レンズ６０１の光軸を図中下方により下げることができる。
【００７０】
図９に示すように、入射瞳６１３の形状を円形（点線で示す）から撮像素子６０６の長手方向に横長な非円形（実線で示す）の形状とすることで、結像レンズ６０１の光軸を図中下方により下げることができる。
【００７１】
このとき、長手方向の長さを円形時の直径より長くすることで、実質的なＦナンバを変えなくすることが可能である。また、短手方向のＦナンバが暗くなることで、原稿読取装置において駆動系の振動などによる性能劣化が発生しやすい、副走査方向の深度幅を広くすることができる。
【００７２】
また、結像レンズ６０６の形状は、円筒形状が一般的であるが、画像読取装置の薄型化のため、例えば図１に示すように、上下方向をカットした小判型形状や、上部又は下部のみカットした形状とすることにより、原稿読取装置を薄型化することができる。
【００７３】
上述の構成によれば、撮像素子と結像レンズを有する原稿読取装置において、撮像素子と結像レンズを一体に保持する保持部材の変形による撮像素子の傾きを、特別なセンサや機構を用いずに小さく抑えることができるため、温度条件が変化しても常に良好な性能を維持することができる。また、装置全体を小型にできると共に、組立工程も簡便にでき、かつセンサや特殊な機構の駆動も必要ないため、省資源化や省エネルギーかも達成できる。また、複数の受光素子を配列することにより、モノクロ読取時の高速化や高精度化、またフルカラー読取に対応できる。
【００７４】
また、撮像素子と結像レンズとを一体に保持する保持部材の曲げ部を、撮像素子が有する複数受光素子配列の任意の配列位置と略同一に配置することにより、温度変化により該曲げ部の角度が変化したときの撮像素子の位置変動を軽減することができ、どのような使用環境においても高品質な読み取り性能が達成できる。
【００７５】
また、結像レンズを保持部材に設けられた開口部に配置することで、主走査方向（撮像素子長手方向）の位置決めが容易になり、位置決めのための特別な機構が必要なく、また組立工程が非常に簡便となるものである。
【００７６】
また、保持部材の開口部からの結像レンズの突出量を結像レンズの入射瞳がけられない程度まで大きくすることで、結像レンズを下方には位置することが可能となり、レンズ光軸と撮像素子の配列を一致させるための中間部材を薄くすることができるため、中間部材の低コスト化や高精度化が達成できる。また、中間部材の変わりに、保持部材や連結部材に半押し加工を施すことが可能となり、部品点数低減が可能となる。更に、原稿画像読取装置に用いる場合、走行体の位置も下方向へ下げることが可能となり、高さ方向を薄くすることが可能となる。
【００７７】
また、結像レンズの入射瞳の形状を副走査方向（撮像素子の短手方向）が小さくなるような非円形とすることで、中間部材を廃止できる可能性が高くなり、部品点数低減ができる。また、副走査方向のＦナンバを暗くすることで、副走査方向の深度幅が広くでき、かつ高品質な読み取りが可能となる。
【００７８】
また、結像レンズの外形形状を副走査方向（撮像素子の短手方向）が小さくなるような非円形とすることで、高さ方向を非常に薄型化することが可能となる。
【００７９】
また、上述の原稿読取装置が有する光学系の任意の光路中に色分解手段を有することにより、良好なフルカラー読取画像品質を実現することができる。
【図面の簡単な説明】
【００８０】
【図１】本実施形態に係る原稿読取装置の概略図である。
【図２】色分解手段を有する原稿読取装置の概略図である。
【図３】本実施形態に係る原稿読取装置を有する画像形成装置の概略図である。
【図４】色分解手段を有する原稿読取装置を有する画像形成装置の概略図である。
【図５】結像レンズと保持部材の配置関係を示す図である。
【図６】本実施形態に係る原稿読取装置が有する原稿読取ユニットの概略図である。
【図７】本実施形態に係る原稿読取装置が有する原稿読取ユニットの概略図である。
【図８】結像レンズの入射瞳を示す図である。
【図９】結像レンズの入射瞳を示す図である。
【図１０】従来の原稿読取ユニットの構成を示す図である。
【符号の説明】
【００８１】
６０１    結像レンズ
６０２    保持部材
６０４    固定部材
６０５    締結部材
６０６    撮像素子
６０７    連結部材
６０８、６０９、６１２    基板
６１０    光軸
６１１    中間部材
６１３    入射瞳
【図１】
2008141677.tif 000005
【図２】
2008141677.tif 000006
【図３】
2008141677.tif 000007
【図４】
2008141677.tif 000008
【図５】
2008141677.tif 000009
【図６】
2008141677.tif 000010
【図７】
2008141677.tif 000011
【図８】
2008141677.tif 000012
【図９】
2008141677.tif 000013
【図１０】
2008141677.tif 000014